(57)【要約】【課題】イカヅノの針部に幹糸や枝素が絡まるのを好適に防止することができる。【解決手段】船縁Ｅに取り付け可能な支持板２と、支持板２に設けられ、イカヅノ１０の針部１２を磁気吸着するための磁性を有する吸着部３と、支持板２に立設され、吸着部３に針部１２を吸着させたイカヅノ１０の胴部１１の両側に沿うように配置された一対の保持板４ａ，４ｂと、を備え、吸着部３と一対の保持板４ａ，４ｂとが、支持板２上に複数並設されたイカヅノ保持具１であって、一対の保持板４ａ，４ｂは、イカヅノ１０の針部１２が設けられる一端側から釣糸係止部１３が設けられる他端側に向けて、間隔が次第に幅狭となるテーパ状をなしている構成とした。【選択図】図１
2012213330.tif 000002
【特許請求の範囲】
【請求項１】
船縁に取り付け可能な支持板と、
前記支持板に設けられ、イカヅノの針部を磁気吸着するための磁性を有する吸着部と、
前記支持板に立設され、前記吸着部に針部を吸着させたイカヅノの胴部の両側に沿うように配置された一対の保持板と、を備え、前記吸着部と前記一対の保持板とが、前記支持板上に複数並設されたイカヅノ保持具であって、
前記一対の保持板は、イカヅノの針部が設けられる一端側から釣糸係止部が設けられる他端側に向けて、間隔が次第に幅狭となるテーパ状をなしていることを特徴とするイカヅノ保持具。
【請求項２】
前記吸着部は、前記支持板の上面から突出していることを特徴とする請求項１に記載のイカヅノ保持具。
【請求項３】
前記吸着部は、少なくとも表面が弾性部材で覆われていることを特徴とする請求項１または請求項２に記載のイカヅノ保持具。
【請求項４】
前記支持板は、船縁に対して複数取り付け可能であり、
前記支持板の側縁部には、隣り合う当該支持板同士を連結するための連結部が設けられていることを特徴とする請求項１から請求項３のいずれか１項に記載のイカヅノ保持具。
【発明の詳細な説明】
【技術分野】
【０００１】
本発明は、イカを釣るために使用されるイカヅノを保持することができるイカヅノ保持具に関する。
【背景技術】
【０００２】
イカ釣りでは、イカヅノと呼ばれる特殊な疑似餌が用いられている。このようなイカヅノは、一般に、幹糸に沿って複数のイカヅノを直列に連結したり、幹糸から枝分かれする複数の枝素にそれぞれ取り付けたりして用いられ、一つの仕掛けに対して、通常、複数個のイカヅノが用いられている。
従来、複数個のイカヅノを保持することのできるイカヅノ保持具として、特許文献１，２に記載されたものが知られている。
【０００３】
特許文献１に記載されたイカヅノ保持具は、海側へ張り出す張出部材を有し、この張出部材の先端に各イカヅノの針部を係止し、後端に設けられた切込み部に幹糸や枝素を挟持して保持することができる。
【０００４】
また、特許文献２に記載されたイカヅノ保持具は、船縁にクランプで固定される支柱に、水平方向に張り出すアームが設けられ、アームの軸方向に間隔を置いて、イカヅノを保持するマグネット取付部が複数設けられた構成となっている。
【先行技術文献】
【特許文献】
【０００５】
【特許文献１】実用新案登録第３１３０５４４号公報
【特許文献２】特開２００３−２３９４０号公報
【発明の概要】
【発明が解決しようとする課題】
【０００６】
特許文献１に記載のイカヅノ保持具では、平らな張出部材上に複数のイカヅノが並べられる構成であるので、風や波の影響を直接的に受け易く、イカヅノの針部に幹糸や枝素が絡まるおそれがあった。
また、特許文献２に記載のイカヅノ保持具では、支柱から水平方向に張り出すアームにマグネットを介して複数のイカヅノが吊り下げ保持されるので、このものも同様に、風や波の影響を直接的に受け易く、イカヅノの針部に幹糸や枝素が絡まるおそれがあった。
【０００７】
本発明は、このような問題を解決するためになされたものであり、イカヅノの針部に幹糸や枝素が絡まるのを好適に防止することができるイカヅノ保持具を提供することを目的とする。
【課題を解決するための手段】
【０００８】
このような課題を解決する本発明のイカヅノ保持具は、船縁に取り付け可能な支持板と、前記支持板に設けられ、イカヅノの針部を磁気吸着するための磁性を有する吸着部と、前記支持板に立設され、前記吸着部に針部を吸着させたイカヅノの胴部の両側に沿うように配置された一対の保持板と、を備え、前記吸着部と前記一対の保持板とが、前記支持板上に複数並設されたイカヅノ保持具であって、前記一対の保持板は、イカヅノの針部が設けられる一端側から釣糸係止部が設けられる他端側に向けて、間隔が次第に幅狭となるテーパ状をなしていることを特徴とする。
【０００９】
このイカヅノ保持具によれば、吸着部にイカヅノの針部を吸着させて、一対の保持板の間にイカヅノの胴部を収容するようにしてイカヅノを保持することができる。
一対の保持板は、イカヅノの針部が設けられる一端側から釣糸係止部が設けられる他端側に向けて間隔が次第に幅狭となるテーパ状をなしているので、他端側において幅狭とされた一対の保持板の間に、イカヅノの釣糸係止部が保持されることとなる。
【００１０】
また、本発明は、前記吸着部は、前記支持板の上面から突出していることを特徴とする。
【００１１】
このイカヅノ保持具によれば、吸着部が、支持板の上面から突出しているので、吸着部にイカヅノの針部を吸着して保持すると、支持板の上面と吸着部との間でイカヅノを傾斜した状態で支持することができる。
【００１２】
また、本発明は、前記吸着部は、少なくとも表面が弾性部材で覆われていることを特徴とする。
【００１３】
このイカヅノ保持具によれば、吸着部は少なくとも表面が弾性部材で覆われているので、イカヅノの針部を弾性的に保持することができる。
【００１４】
また、本発明は、前記支持板は、船縁に対して複数取り付け可能であり、前記支持板の側縁部には、隣り合う当該支持板同士を連結するための連結部が設けられていることを特徴とする。
【００１５】
このイカヅノ保持具によれば、連結部を介して複数枚の支持板を連結することができる。
【発明の効果】
【００１６】
本発明によれば、吸着部にイカヅノの針部を吸着させて、一対の保持板の間にイカヅノの胴部を収容するようにしてイカヅノを保持することができるので、イカヅノの胴部を一対の保持板によって両側から保護するように保持することができる。したがって、風や波の影響をイカヅノが直接的に受け難く、イカヅノの針部に幹糸や枝素が絡まるのを好適に防止することができる。
【００１７】
また、一対の保持板は、イカヅノの針部が設けられる一端側から釣糸係止部が設けられる他端側に向けて、間隔が次第に幅狭となるテーパ状をなしているので、幅狭とされた一対の保持板間において、イカヅノの他端側（釣糸係止部）を好適に保持することができる。したがって、イカヅノの針部に幹糸や枝素が絡まるのを好適に防止することができる。
【００１８】
また、吸着部が、支持板の上面から突出している構成では、吸着部にイカヅノの針部を吸着して保持すると、支持板の上面と吸着部との間でイカヅノを傾斜した状態で支持することができるので、イカヅノの胴部がつまみ易くなり、イカヅノの両側に沿うように一対の保持板が設けられている構成であるにもかかわらず、イカヅノの取り付けおよび取り外しが行い易い。したがって、イカヅノの取り扱い性に優れたイカヅノ保持具が得られる。
【００１９】
また、吸着部の少なくとも表面が弾性部材で覆われている構成では、イカヅノの針部を弾性的に保持することができるので、吸着部に針部を吸着させるときの衝撃を緩和することができ、イカヅノの針部の変形やキズを好適に防止することができる。
【００２０】
また、連結部を介して複数枚の支持板を連結可能な構成では、船縁に複数枚の支持板を連結して並べることができるので、枝素の数に併せて複数個のイカヅノを好適に保持することができる。また、大きさの異なる（保持個数の異なる）複数種類の支持板を用意することにより、適切な保持個数を備えたイカヅノ保持具を得ることができる。
【図面の簡単な説明】
【００２１】
【図１】本発明の一実施形態に係るイカヅノ保持具の使用状態を示した斜視図である。
【図２】イカヅノ保持具の平面図である。
【図３】保持状態を示す部分拡大斜視図である。
【図４】保持状態を示す一部断面側面図である。
【図５】支持板の連結状態を示す平面図である。
【図６】変形例のイカヅノ保持具の要部を示す一部断面斜視図である。
【発明を実施するための形態】
【００２２】
以下、本発明に係るイカヅノ保持具の実施の形態について図面を参照しながら説明する。なお、説明において、「上下」、「左右」をいうときは、図１に示した方向を基準としている。
【００２３】
図１に示すように、本実施形態のイカヅノ保持具１は、支持板２と、吸着部３と、一対の保持板４ａ，４ｂと、を備え、吸着部３と、一対の保持板４ａ，４ｂとが支持板２上に均等間隔で複数並設されている。本実施形態では、支持板２の左右方向に５つ並設されたものを示したが、並設される数は任意に設定することができる。また、間隔も任意に設定することができる。
支持板２は、船縁Ｅに取り付け可能な樹脂製の板状部材であり、船縁Ｅに載置される下面２ｆと平らな上面２ｅ（図２〜４参照）とを備えている。
【００２４】
支持板２の左部には、イカヅノ保持具１を船縁Ｅに固定するための固定スペース２Ａが形成されている。固定スペース２Ａには、図１に示すように、クランプ５０の上フレーム５２が挟持可能に配置される。
【００２５】
支持板２の右縁部２ａには、図２に示すように、連結部として機能する略円形の突部２ｂが右側方へ突設されている。また、支持板２の左縁部２ｃには、連結部として機能する略円形の凹部２ｄが凹設されている。突部２ｂは、隣接する支持板２’（図１参照）の凹部２ｄに係止可能であり、この係止によって支持板２の右側方に支持板２’が連結されるようになっている。
なお、突部２ｂと凹部２ｄとは、互いに対向する位置に設けられており、本実施形態では、前後にそれぞれ２つ設けたものを示したが、１つだけ設けてもよく、また、３つ以上設けてもよい。
【００２６】
吸着部３は、図３、図４に示すように、支持板２の上面２ｅに取り付けられた永久磁石からなる。吸着部３は、表面（上面）が合成ゴム製等の弾性部材３ａで覆われている。このような吸着部３は、イカヅノ１０の針部１２を磁気吸着可能となっている。
なお、吸着部３は、全体を弾性部材３ａで被覆してもよい。この場合には、錆防止効果が期待できる。
【００２７】
一対の保持板４ａ，４ｂは、支持板２に立設された板状部材であり、支持板２と同様の材料からなる。一対の保持板４ａ，４ｂは、図３に示すように、吸着部３に針部１２を吸着させたイカヅノ１０の胴部１１の両側に沿うように配置されている。
図２、図３に示すように、一対の保持板４ａ，４ｂは、イカヅノ１０の針部１２が設けられる一端側から釣糸係止部１３が設けられる他端側に向けて、間隔が次第に幅狭となるテーパ状をなしている。図２に示すように、一対の保持板４ａ，４ｂは、一端側において間隔Ｌ１を有して配置されており、他端側において間隔Ｌ１よりも小さい間隔Ｌ２を有して配置されている。
【００２８】
このようなイカヅノ保持具１を固定するクランプ５０は、図１に示すように、側面形状が略コ字状を呈しており、上フレーム５２と、縦フレーム５１と、クランプ支持フレーム５３とを備えている。固定時には、支持板２の左部の固定スペース２Ａに上フレーム５２を載置し、クランプ支持フレーム５３に設けられたクランプ機構の操作部５４ａを締め付ける。これにより、シャフト５４ｂを介して図示しない押圧部が船縁Ｅの下面を押圧し、クランプ５０が船縁Ｅに固定される。
【００２９】
なお、クランプ５０には、軸部５１ａを介して上部に釣竿Ｒの保持部５５が設けられたものを用いるとよい。
ここで、図５に示すように、クランプ５０を固定するための固定支持板６を介して間接的に支持板２を固定するようにしてもよい。固定支持板６の側縁６ａには、支持板２の左縁部２ｃに設けられた凹部２ｄ，２ｄに係合する突部６ｂ，６ｂが形成されており、また、反対側の側縁６ｃには、支持板２'の右縁部２ａに設けられた突部２ｂ，２ｂが係合する凹部６ｄ，６ｄが形成されている。
固定支持板６は、その上面に、クランプ５０の上フレーム５２が当接する固定スペース６Ａを有している。
なお、このような固定支持板６を用いることにより、固定支持板６を挟んで両側に支持板２および支持板２’を配置することができる。
【００３０】
以上説明した本実施形態のイカヅノ保持具１は、吸着部３（弾性部材３ａ）にイカヅノ１０の針部１２を吸着させて、一対の保持板４ａ，４ｂの間にイカヅノ１０の胴部１１を収容するようにしてイカヅノ１０を保持することができるので、イカヅノ１０の胴部１１を一対の保持板４ａ，４ｂによって両側から保護するように保持することができる。したがって、風や波の影響をイカヅノ１０が直接的に受け難く、イカヅノ１０の針部１２に幹糸Ｓ１や枝素Ｓ２が絡まるのを好適に防止することができる。
また、図１に示すように、隣り合うイカヅノ１０の他端部同士は、略所定の間隔を確保しながら左右方向に並ぶので、他端部の釣糸係止部１３（図２参照）に係止された枝素Ｓ２の間隔も均等となり、枝素Ｓ２同士や幹糸Ｓ１が相互に絡まるのを好適に防止することができる。
【００３１】
また、一対の保持板４ａ，４ｂは、イカヅノ１０の針部１２が設けられる一端側から釣糸係止部１３が設けられる他端側に向けて、間隔が次第に幅狭となるテーパ状をなしているので、幅狭とされた一対の保持板４ａ，４ｂ間において、イカヅノ１０の他端側（釣糸係止部１３）を好適に保持することができる。したがって、イカヅノ１０の針部１２に幹糸Ｓ１や枝素Ｓ２が絡まるのを好適に防止することができる。
【００３２】
また、吸着部３が、支持板２の上面２ｅから突出して設けられているので、吸着部３（弾性部材３ａ以下同じ）にイカヅノ１０の針部１２を吸着して保持すると、支持板２の上面２ｅと吸着部３との間でイカヅノ１０を傾斜した状態で支持することができるので、イカヅノ１０の胴部１１がつまみ易くなり、イカヅノ１０の両側に沿うように一対の保持板４ａ，４ｂが設けられている構成であるにもかかわらず、イカヅノ１０の取り付けおよび取り外しが行い易い。したがって、イカヅノ１０の取り扱い性に優れたイカヅノ保持具１が得られる。
【００３３】
また、吸着部３が弾性部材３ａで覆われているので、イカヅノ１０の針部１２を弾性的に保持することができ、吸着部３に針部１２を吸着させるときの衝撃を緩和することができる。これにより、イカヅノ１０の針部１２の変形やキズを好適に防止することができる。
【００３４】
また、連結部（２ｂ、２ｄ等）を介して複数枚の支持板２，２’等が連結可能であるので、船縁Ｅに複数枚の支持板２（２’）を連結して並べることができ、枝素Ｓ２の数に併せて複数個のイカヅノ１０を好適に保持することができる。また、大きさの異なる（保持個数の異なる）複数種類の支持板２（２’）を用意することにより、適切な保持個数を備えたイカヅノ保持具１を得ることができる。
【００３５】
図６は変形例のイカヅノ保持具１の要部を示す一部断面斜視図である。
この変形例では、支持板２０の上面２０ｅが他端側から一端側へ向けて下り傾斜状に形成されており、吸着部３の側方に、段差状の隅部２１が形成されている。
このような構成とすることによって、イカヅノ１０の胴部１１がつまみ易くなり、イカヅノ１０の取り付けおよび取り外しが行い易い。したがって、イカヅノ１０の取り扱い性に優れたイカヅノ保持具１が得られる。
【００３６】
前記実施形態では、支持板２の上面２ｅに吸着部（永久磁石）３を設けたが、これに限られることはなく、永久磁石３ｂは、支持板２に埋設してもよいし、支持板２の下面側に装着してもよい。
【００３７】
なお、一対の保持板４ａ，４ｂは、他端側において、少なくとも釣糸係止部１３に係止された、幹糸Ｓ１や枝素Ｓ２等の釣糸が挿通される間隔Ｌ２を有して配置されていればよく、平面視で、一対の保持板４ａ，４ｂが略Ｖ字形状に配置されていてもよい。
【００３８】
一対の保持板４ａ，４ｂは、吸着部３に連続して設けたが、吸着部３と間隔を隔てて設けてもよく、また、一対の保持板４ａ，４ｂの間に吸着部３を配置してもよい。
【００３９】
また、一対の保持板４ａ，４ｂは、透明な樹脂材を用いて形成してもよい。このような樹脂材を用いることにより、一対の保持板４ａ，４ｂを透視して釣糸係止部１３に係止された幹糸Ｓ１や枝素Ｓ２等の釣糸の状態や胴部１１の状態を、一対の保持板４ａ，４ｂの例えば側方等から確認することができる。
【００４０】
また、一対の保持板４ａ，４ｂは、図４に一点鎖線で示すように（保持板４ａのみ図示、以下同じ）、他端側から一端側（吸着部３側）へ向けて上辺４ａ１が下り傾斜状を呈するように設けてもよい。また、一対の保持板４ａ，４ｂは、図４に二点鎖線で示すように、中央部から一端側（吸着部３側）へ向けて上辺４ａ２が下り傾斜状を呈するように設けてもよい。
このように構成することによって、側方から見て胴部１１の一端部（針部１２に近い部分）が一対の保持板４ａ，４ｂから露出する状態となり、イカヅノ１０の胴部１１が摘み易くなる。
なお、この場合においても、一対の保持板４ａ，４ｂの他端部４ａ５（一方のみ図示）が、イカヅノ１０の釣糸係止部１３を側方から覆っているので、イカヅノ１０の他端側が一対の保持板４ａ，４ｂで両側から好適に保護されていることに変わりはない。
【００４１】
また、支持板２の他端面２ｇ（図４参照）に図示しない溝部や切欠きを設け、この溝部や切欠きに釣糸係止部１３に係止された枝素Ｓ２等を位置させてもよい。
【符号の説明】
【００４２】
１      イカヅノ保持具                          ４ａ，４ｂ    保持板
２      支持板                                  １０    イカヅノ
２ｂ    突部（連結部）                          １１    胴部
２ｄ    凹部（連結部）                          １２    針部
３      吸着部（永久磁石）                      １３    釣糸係止部
３ａ    弾性部材                                Ｅ      船縁
【図１】
2012213330.tif 000003
【図２】
2012213330.tif 000004
【図３】
2012213330.tif 000005
【図４】
2012213330.tif 000006
【図５】
2012213330.tif 000007
【図６】
2012213330.tif 000008